(57)【要約】【課題】資源種別を示す文字と、該資源種別の使用資源量とを、直感的に分かりやすく表示できる給湯器用リモコンを提供する。【解決手段】給湯器用リモコン１の制御部に今日の使用資源量を記憶しておき、該制御部からの指令信号によって、リモコン１のディスプレイ２に資源種別を示す文字を表示するとともに、該文字表示を囲むように目標資源量に対する使用資源量の割合に応じた長さの円弧状のグラフを表示させる。また、エネルギー切替スイッチ３２の操作によって、ガス、電気及び水道の使用量表示画面を順次切替えて、それぞれの資源種別を示す文字と使用資源量に応じて延びるグラフ表示とを行えるようにする。【選択図】図１
2015070370.tif 000002
【特許請求の範囲】
【請求項１】
所定期間内の使用資源量を記憶する記憶手段を備える制御部と、該制御部からの指令信号によって資源種別を示す文字を表示するとともに該文字表示を囲むように前記使用資源量に応じて二次元的に延びる図形を表示するディスプレイとを備えることを特徴とする資源使用量表示装置。
【請求項２】
請求項１に記載の資源使用量表示装置において、前記記憶手段は、複数の資源種別に対応する複数の使用資源量を記憶するものであり、前記制御部は、複数の資源種別のうち一つを選択する選択手段をさらに備え、前記ディスプレイは、選択手段により選択された資源種別を示す文字を表示するとともに選択された資源種別に対応する前記使用資源量に応じて延びる図形を表示することを特徴とする資源使用量表示装置。
【請求項３】
請求項１又は２に記載の資源使用量表示装置において、前記ディスプレイは、前記文字表示を行うためのドットマトリクス表示部と、前記図形表示を行うための複数のセグメントとを備え、該複数のセグメントは、前記ドットマトリクス表示部の周囲を囲むように連続配置されていることを特徴とする資源使用量表示装置。
【請求項４】
請求項３に記載の資源使用量表示装置において、前記連続配置の始端位置のセグメントと終端位置のセグメントとは上下方向にスペースを空けて離間配置されており、前記図形の内部から前記スペースにまで前記ドットマトリクス表示部が延設されていることを特徴とする資源使用量表示装置。
【請求項５】
請求項１〜４のいずれか１項に記載の資源使用量表示装置において、前記記憶手段にはさらに所定期間内の目標資源量が記憶され、前記制御部は、前記図形の長さが前記目標資源量に対する前記使用資源量の割合に応じた長さとなるように前記ディスプレイを制御することを特徴とする資源使用量表示装置。
【請求項６】
請求項１〜５のいずれか１項に記載の資源使用量表示装置を備えることを特徴とする給湯器用リモコン。
【発明の詳細な説明】
【技術分野】
【０００１】
本発明は、ガス、電気、水道水等の資源使用量をユーザーに対して分かりやすく表示するために用いられる資源使用量表示装置、並びに、該資源使用量表示装置を備える給湯器用リモコンに関する。
【背景技術】
【０００２】
従来より、本願出願人は、下記の特許文献１に開示されているように、限られた表示エリア内で下から上に５段階（５本のバー）で延びる棒グラフによってガスや電気などの資源の使用量を表示するとともに、棒グラフが何を表しているかを示す「ガス」や「電気」や「水道」という資源種別を棒グラフの側方に表示するガス給湯器用リモコンの開発を行っている。
【先行技術文献】
【特許文献】
【０００３】
【特許文献１】特開２０１３−１１３５２４号公報
【発明の概要】
【発明が解決しようとする課題】
【０００４】
しかし、上記従来のリモコンにおける表示方法の場合、「ガス」や「電気」などの資源種別表示が、グラフ表示の資源種別を示しているのか、別の何かの表示を行っているのかが直感的に分かりにくく、ユーザーに無用な混乱を生じさせてしまうことが危惧される。
【０００５】
そこで、本発明は、資源種別と、該資源種別の資源量とを、直感的に分かりやすく表示することができる資源使用量表示装置、並びに、給湯器用リモコンを提供することを目的とする。
【課題を解決するための手段】
【０００６】
上記目的を達成するために、本発明は、次の技術的手段を講じた。
【０００７】
すなわち、本発明の資源使用量表示装置は、所定期間内（例えば今日）の使用資源量を記憶する記憶手段を備える制御部と、該制御部からの指令信号によって資源種別を示す文字を表示するとともに該文字表示を囲むように前記使用資源量に応じて二次元的に延びる図形を表示するディスプレイとを備えることを特徴とするものである（請求項１）。
【０００８】
かかる本発明の資源使用量表示装置によれば、制御部は、資源種別を示す文字をディスプレイに表示させるとともに、該文字表示を囲むように使用資源量に応じて二次元的に延びる図形をディスプレイに表示させることができる。したがって、資源種別を示す「ガス」や「デンキ」や「スイドウ」などの文字は、資源使用量を示す図形の内部に表示されることとなり、該図形が文字表示に係る資源の種別を表示していることが直感的に分かりやすくなるとともに、限られた表示スペース内で直感的に分かりやすく資源使用量の表示を行うことが可能となる。
【０００９】
なお、本発明において、「二次元的に延びる図形」とは、平面のＸ軸方向若しくはＹ軸方向に直線的に延びる図形ではなく、Ｘ軸方向及びＹ軸方向に平面的に延びる図形であり、例えば、円や円弧の他、正方形、長方形及び菱形などの多角形や、多角形の一辺の無い図形（例えばコ字状図形など）をも含むものである。また、資源使用量を示す図形の長さは、使用資源量の絶対値に応じた長さであってもよく、目標資源量などの基準値に対する割合に応じた長さであってもよい。また、「文字表示を囲むように」とは、表示された文字の上下左右の少なくとも２つ、より好ましくは３つ以上に亘るように文字の周囲において周方向に延びることを意味する。
【００１０】
上記本発明の資源使用量表示装置において、前記記憶手段は、複数の資源種別に対応する複数の使用資源量を記憶するものであり、前記制御部は、複数の資源種別のうち一つを選択する選択手段をさらに備え、前記ディスプレイは、選択手段により選択された資源種別を示す文字を表示するとともに選択された資源種別に対応する前記使用資源量に応じて延びる図形を表示することができる（請求項２）。これによれば、限られた表示スペース内で、複数の資源種別のうちの一つを選択して、選択された資源種別を示す文字と、選択された資源種別に関連付けられた使用資源量に応じて延びる図形とを、直感的に分かりやすく表示することができ、複数種類の資源種別を切替えて表示する場合における分かりやすさを一層向上することができる。
【００１１】
また、前記ディスプレイは、前記文字表示を行うためのドットマトリクス表示部と、前記図形表示を行うための複数のセグメントとを備え、該複数のセグメントは、前記ドットマトリクス表示部の周囲を囲むように連続配置されているものとすることができる（請求項３）。これによれば、図形表示をセグメント方式で表示することにより、表示装置や該表示装置を制御する制御回路の構成の簡素化やコスト低減を図りつつも綺麗な図形表示を行うことができるとともに、複数のセグメントの中心部に配置されたドットマトリクス表示部によって、資源種別を示すための種々の文字表示を行うことができる。なお、ドットマトリクス表示部は、縦１０ドット未満の低解像度のものであってよく、横方向のドット数は、表示予定の文字の長さに応じたものとすることができる。
【００１２】
さらに、前記連続配置の始端位置のセグメントと終端位置のセグメントとは上下方向にスペースを空けて離間配置されており、前記図形の内部から前記スペースにまで前記ドットマトリクス表示部が延設されているものとすることができる（請求項４）。これによれば、使用資源量を表示する図形表示が全周にわたる環状となることがなく、使用資源量が視覚的に直感的に分かりやすくなるとともに、図形の内部からセグメントが設けられていない領域にまでドットマトリクス表示部を延長することによって、ドットマトリクス表示部を構成する横方向ドット数を増やすことができ、該ドットマトリクス表示部によって表示可能な文字数を増やすことができる。
【００１３】
また、前記記憶手段にはさらに所定期間内の目標資源量が記憶され、前記制御部は、前記図形の長さが前記目標資源量に対する前記使用資源量の割合に応じた長さとなるように前記ディスプレイを制御することができる（請求項５）。これによれば、目標資源量に対する使用資源量の割合を直感的に分かりやすく表示することができる。
【００１４】
また、本発明は、上記資源使用量表示装置を備えた給湯器用リモコンとして好適に実施することができる（請求項６）。これによれば、給湯器用リモコンに資源使用量を直感的に分かりやすく表示することができ、給湯器の使用の際に設定温度を下げたりするなど、給湯器使用の際の節約意識を一層向上することができる。
【発明の効果】
【００１５】
本発明の請求項１に係る資源使用量表示装置によれば、制御部は、資源種別を示す文字をディスプレイに表示させるとともに、該文字表示を囲むように使用資源量に応じて二次元的に延びる図形をディスプレイに表示させることができる。したがって、資源種別を示す「ガス」や「デンキ」や「スイドウ」などの文字は、資源使用量を示す図形の内部に表示されることとなり、該図形が文字表示に係る資源の種別を表示していることが直感的に分かりやすくなるとともに、限られた表示スペース内で直感的に分かりやすく資源使用量の表示を行うことが可能となる。
【００１６】
本発明の請求項２に係る資源使用量表示装置によれば、限られた表示スペース内で、複数の資源種別のうちの一つを選択して、選択された資源種別を示す文字と、選択された資源種別に関連付けられた使用資源量に応じて延びる図形とを、直感的に分かりやすく表示することができ、複数種類の資源種別を切替えて表示する場合における分かりやすさを一層向上することができる。
【００１７】
本発明の請求項３に係る資源使用量表示装置によれば、図形表示をセグメント方式で表示することにより、表示装置や該表示装置を制御する制御回路の構成の簡素化やコスト低減を図りつつも綺麗な図形表示を行うことができるとともに、複数のセグメントの中心部に配置されたドットマトリクス表示部によって、資源種別を示すための種々の文字表示を行うことができる。
【００１８】
本発明の請求項４に係る資源使用量表示装置によれば、使用資源量を表示する図形表示が全周にわたる環状となることがなく、使用資源量が視覚的に直感的に分かりやすくなるとともに、図形の内部からセグメントが設けられていない領域にまでドットマトリクス表示部を延長することによって、ドットマトリクス表示部を構成する横方向ドット数を増やすことができ、該ドットマトリクス表示部によって表示可能な文字数を増やすことができる。
【００１９】
本発明の請求項５に係る資源使用量表示装置によれば、目標資源量に対する使用資源量の割合を直感的に分かりやすく表示することができる。
【００２０】
本発明の請求項６に係る給湯器用リモコンによれば、給湯器用リモコンに資源使用量を直感的に分かりやすく表示することができ、給湯器の使用の際に設定温度を下げたりするなど、給湯器使用の際の節約意識を一層向上することができる。
【図面の簡単な説明】
【００２１】
【図１】本発明の一実施形態に係る給湯器用リモコン（資源使用量表示装置）の正面図である。
【図２】同リモコンにおける使用ガス量の料金換算値の表示画面例を示し、（ａ）は今日の使用ガス量表示画面、（ｂ）は昨日の使用ガス量表示画面である。
【図３】同リモコンにおける目標ガス量の料金換算値の表示画面例を示し、（ａ）は今日の使用ガス量表示画面、（ｂ）は昨日の目標ガス量表示画面である。
【図４】同リモコンにおける使用ガス量の値の表示画面例を示し、（ａ）は今日の使用ガス量表示画面、（ｂ）は昨日の使用ガス量表示画面である。
【図５】同リモコンにおける目標ガス量の値の表示画面例を示し、（ａ）は今日の使用ガス量表示画面、（ｂ）は昨日の目標ガス量表示画面である。
【発明を実施するための形態】
【００２２】
以下、本発明の好適な実施形態を図面に基づいて説明する。
【００２３】
図１は、本発明の一実施形態に係る資源使用量表示装置として機能する給湯器用リモコン１を示している。該リモコン１は、熱源機としての給湯器（図示せず）の遠隔操作を行うものであり、給湯器と有線若しくは無線により互いに情報交換可能に接続される。また、建物内で消費されるガス、電気及び水道などの資源の使用量を測定するための測定ユニット（図示せず）が給湯器とは別に設置されており、測定ユニットで測定された情報は、給湯器を介して若しくは直接的にリモコン１に送信されるように構成されている。
【００２４】
給湯器は、給湯器で使用される瞬時ガス使用量や瞬時水道使用量を内蔵センサによって測定し、該情報をリモコン１に送信することができる。また、給湯器は、出湯流量と出湯湯温とを計測し、これらに基づいて出湯に要したガス使用量や水道使用量を演算して、リモコン１に送信してもよい。
【００２５】
測定ユニットは、建物に付設されたガスメータや水道メータの検出信号に基づいて瞬時ガス使用量や瞬時水道使用量を計測するとともに、商用電力系統に付設した電流センサ（カレントトランス）及び電圧センサの検出信号に基づいて瞬時電力使用量を計測し、これら情報をリモコン１に送信することができる。なお、測定ユニットの機能を、給湯器に内蔵することもできる。また、一般的に使用電力量（円）を表すときには「電気料金」と表現され、本明細書においても、電力量を「電気」と表現する。
【００２６】
リモコン１は、給湯器の遠隔操作を主として行うための操作装置であって、マイクロプロセッサやメモリ（記憶手段）などにより主構成される制御部（図示せず）と、該制御部によって表示制御が行われるディスプレイ２と、各種操作を行うための操作部３とを備えている。制御部には内部クロックを利用した時計機能が備えられている。また、制御部は、メモリ内に各種制御プログラムや各種制御用データを備え、これら制御プログラムや制御データを用いて、後述する資源使用量表示制御を含む種々の制御を実行する。
【００２７】
ディスプレイ２は、リモコン１の操作部３の操作内容や給湯器の動作状態などの表示を行うものであって、図示実施例ではセグメント式ディスプレイを用いているが、ドットマトリクスディスプレイを用いることもできる。該ディスプレイ２は、制御部のマイクロプロセッサによって直接制御されるものであってもよいし、ディスプレイ２の低レベル制御用のコントローラを介してマイクロプロセッサにより表示制御されるものであってもよい。
【００２８】
操作部３には、「運転入／切」スイッチ、「呼出」スイッチ、「追いだき」スイッチ、「ふろ自動」スイッチ、給湯温度等の設定操作のための上下スイッチ３１、「ｅｃｏ」スイッチ、「音量」スイッチ、「ふろ予約」スイッチ、「時計あわせ」スイッチ、エネルギー切替スイッチ３２、及び、今日／昨日切替スイッチ３３が設けられている。なお、本発明に関連するスイッチにのみ符号を付し、関連性が低いスイッチには符号を省略している。制御部は、各スイッチの所定の操作によって必要な場合には給湯器に対して対応する指令信号を送信するとともに、各操作に応じた表示を行うようにディスプレイ２に指令信号を送信する。
【００２９】
リモコン１の制御部は、その内蔵メモリ（記憶手段）内に、給湯器や測定ユニットから送信される情報に基づいて、日毎（所定期間毎）のガス使用量、水道使用量及び電力使用量を、所定日数分、例えば今日を含めて直近１５日分記憶するように構成されている。今日のガス使用量、水道使用量及び電力使用量は、給湯器や測定ユニットから送信される瞬時使用量をリモコン１の制御部によって積算することで求めることもできるし、測定ユニットや給湯器側で積算したものをリアルタイムで若しくは所定時間間隔（例えば１０分毎など）でリモコン１の制御部に送信することもできる。リモコン１の制御部が記憶する日毎のガス使用量、水道使用量及び電力使用量をどこでどのように算出するかは本願発明の要旨ではなく、適宜の構成とすることができる。
【００３０】
また、制御部のメモリ内には、日毎の目標ガス量、目標水道量及び目標電力量などの資源種別毎の複数の目標資源量が記憶される。各目標資源量は、リモコン１の工場出荷段階で予め基準となる値を設定しておくこともできるが、本実施形態では、制御部が過去の使用状況に基づいて学習して各目標資源量を算出し記憶するように構成されている。例えば、制御部は、ガス、水道、電気などの過去の所定期間分（例えば１４日分）の資源種別毎の資源使用量の単位期間（例えば１日）あたりの平均値を算出し、各資源種別毎の平均値を今日の目標資源量として更新することができる。この今日の目標資源量の更新は、例えば０時１分に行うように構成できる。今日の目標資源量の更新の際、その直前に設定されていた目標資源量は昨日の目標資源量としてメモリに記憶しておくことができる。同様に、過去１４日分の目標資源量を、日毎かつ資源種別毎に記憶しておくこともできる。このように、目標資源量を過去の使用量に基づいて定期的に更新することにより、ユーザの実際の使用状況に応じて資源種別毎に適切な目標値の自動更新が可能になる。なお、今日の目標資源量は、ユーザがマニュアル設定できるように構成しておくこともできる。また、メモリに記憶される各資源量の単位は適宜のものであってよく、表示の際に単位変換した値で表示できる。
【００３１】
ディスプレイ２は、給湯温度や設定温度や設定音量などの数値表示を主として行うための２桁の７セグメント表示領域Ａと、資源種別を示す文字及び該資源種別の資源使用量を示すグラフ（図形）を表示するための資源使用量表示領域Ｂと、資源使用量の数値表示や時間表示などの数値表示を行うための３桁＋２桁の７セグメント表示領域Ｃとを備えており、これら領域Ａ，Ｂ，Ｃが横方向に配設されている。また、これら領域Ａ，Ｂ，Ｃの周囲には、ユーザーに対して所定の情報表示を行うための文字や図形などの特定キャラクタ表示用のセグメントが配設されている。かかる所定の情報表示としては、例えば、領域Ａの上方に設けられた「給湯℃」表示や、領域Ａと領域Ｂとの間に設けられた炎図形や「高温」「保温」「優先」表示や、ディスプレイ２の下部に配設された「ｅｃｏ」「ふろ」「静音」「浴室」「暖房」「入」「切」「予熱」表示などがある。
【００３２】
資源使用量表示領域Ｂには、その中央部に縦５ドット横２０ドットのドットマトリクス表示部４と、該ドットマトリクス表示部４の周囲を囲むように円弧状に連続配置された１３個の略長方形状のセグメント５とが設けられている。図示実施例では、ドットマトリクス表示部４の左右方向中央付近の上側に一つの補助ドットが、下側に２つの補助ドットが設けられており、これら補助ドットによって「ゆ」などの文字を見やすく表示できるようにしている。ドットマトリクス表示部４を構成する各ドットは個々に独立した略正方形状のセグメントにより構成されている。
【００３３】
上記複数のセグメント５のうち連続配置の始端位置のセグメント５ａは、ドットマトリクス表示部４の左右中央部よりも右寄りの下側に位置し、終端位置のセグメント５ｂは、ドットマトリクス表示部４の左右中央部よりも右寄りの上側に位置し、始端位置のセグメント５ａと終端位置のセグメント５ｂとは、ドットマトリクス表示部４の上下幅よりも大きなスペースを空けて上下に離間配置されている。これにより、ドットマトリクス表示部４は、複数のセグメント５によって表示可能な円弧状図形の内部から上記スペースにまで延設されるようになっている。
【００３４】
上記複数のセグメント５は、領域Ｂと領域Ｂ以外の領域との境界付近に境界に沿って円弧状に配設されており、連続配置の中間位置のセグメント５ｃは始端位置及び終端位置のセグメント５ａ，５ｂに対して左右方向に離れた位置にあるとともにドットマトリクス表示部４の左右方向外側（図示例では左方向外側）に位置している。また、始端位置から連続する１０個のセグメント５は青色や緑色などの寒色乃至中性色で表示され、残りの３個のセグメント５（終端位置のセグメント５ｂから連続する３つのセグメント）は赤色や橙色などの暖色で表示されるようになっている。
【００３５】
領域Ｃの下部には、領域Ｃに表示される数値の単位を表示するための複数のセグメントが横方向に整列配置されている。図示例では、「％」表示セグメント、「円」表示セグメント、「円／」表示セグメント、「ｋＷｈ」表示セグメント、「ｋｇ」表示セグメント、「ｍ3」表示セグメント、「ｌ」表示セグメント、「円」表示セグメントが設けられている。また、上記の単位表示用セグメントの下方には、「今日」表示セグメント、「昨日」表示セグメント、「実績」表示セグメント、「目標」表示セグメントが設けられている。
【００３６】
上記ディスプレイ４内の各セグメントは、制御部からの指令信号によって個別に表示状態／非表示状態の切替えを行えるようになっており、図１においては、全表示状態で示してある。
【００３７】
次に、上記制御部による資源使用量表示制御の具体的実施例について説明する。
【００３８】
制御部は、トップ画面では、ディスプレイ２の領域Ａに給湯設定温度を表示し、領域Ｃに現在時刻を表示する。なお、トップ画面の領域Ｂには何も表示しなくてもよいが、現在の給湯湯量をリアルタイムでグラフ表示したり、また、現在の瞬時ガス使用量をリアルタイムでグラフ表示したり、今日の目標ガス量に対する今日の使用ガス量（実績値）の割合をグラフ表示したり、その他適宜の表示を行うことができる。給湯湯量表示を行うときには領域Ｂのドットマトリクス表示部４に「ゆ」という文字表示を行うことができ、また、使用ガス量表示を行うときにはドットマトリクス表示部４に「ガス」という文字表示を行うことができる。
【００３９】
また、制御部は、トップ画面表示中にエネルギー切替スイッチ３２が押されると、図２（ａ）に示すように、今日の使用ガス量をガス料金換算して表示する画面に遷移するように構成できる。当該画面表示中は、ディスプレイ２の領域Ｂのドットマトリクス表示部４に、資源種別を示す「ガス」という文字表示を行うとともに、複数のセグメント５を用いて、今日の目標ガス量に対する今日の使用ガス量の割合を示す円弧状図形によるグラフ表示を行うように構成されている。より詳細には、上記円弧状図形は、目標ガス量に対する使用ガス量の割合が０〜１０％のとき始端位置の一つのセグメント５ａのみが表示され、該割合が１０％増加するごとに隣接するセグメント５が順次追加表示されるようになっており、上記割合が９０〜１００％のとき始端位置から１０個の連続するセグメント５が表示される。さらに、割合が１００〜１１０％のとき１１個目のセグメント５の表示がなされ、１１０〜１２０％のとき１２個目のセグメント５の表示がなされ、１２０〜１３０％のとき１３個目、すなわち終端位置のセグメント５ｂの表示がなされる。
【００４０】
また、このとき、ディスプレイ４の領域Ｃには、今日の使用ガス量をガス料金換算した値が表示されるとともに、該値の下部の「円」表示セグメントを表示状態とし、さらに、「今日」表示セグメント及び「実績」表示セグメントを表示状態とすることによって、今日の使用ガス量を料金換算して表示していることを一目で分かるようにしている。
【００４１】
今日の使用ガス量をガス料金換算して表示しているときに、今日／昨日切替スイッチ３３を押すと、図２（ｂ）に示すように昨日の使用ガス量をガス料金換算して表示する画面に遷移する。当該画面表示中は、ディスプレイ２の領域Ｂのドットマトリクス表示部４に、資源種別を示す「ガス」という文字表示を行うとともに、複数のセグメント５を用いて、昨日の目標ガス量に対する昨日の使用ガス量の割合を示す円弧状図形によるグラフ表示を行うように構成されている。また、「昨日」表示セグメントを表示状態としている。かかる昨日の使用ガス量の表示中に再度今日／昨日切替スイッチ３３を押すと、今日の使用ガス量の料金換算表示画面に戻るように構成できる。
【００４２】
さらに、上下スイッチ３１の操作によって、図３に示す目標ガス量の料金換算表示画面、図４に示す使用ガス量の体積値の表示画面、図５に示す目標ガス量の体積値の表示画面に順次切り替わるように構成することができる。図３〜図５においても図２と同様に、（ａ）に今日表示画面を示し、（ｂ）に昨日表示画面を示しており、これら今日表示画面と昨日表示画面とは、それぞれの画面表示中に今日／昨日切替スイッチ３３を押すことによって交互に切り替わるようになっている。また、画面切替に伴って、「今日」表示セグメント、「昨日」表示セグメント、「実績」表示セグメント、「目標」表示セグメント、及び、単位表示用セグメントが、現在表示中の値や単位に合わせて表示乃至非表示とされる。
【００４３】
また、図２〜図５に示すガス量表示中にエネルギー切替スイッチ３２を押すことによって、ガス以外の電気や水道などの他の資源種別に順次切替えて、各資源種別についても同様の表示を行うことができる。なお、電気に関するグラフ表示や値表示を行う際には、領域Ｂのドットマトリクス表示部４には「デンキ」とカタカナ文字で表示することができ、水道に関するグラフ表示や値表示を行う際には「スイドウ」と表示することができる。而して、エネルギー切替スイッチ３２及び上記資源種別の切替を行う制御プログラムによって、複数の資源種別のうち一つを選択する選択手段が構成されている。
【００４４】
なお、図３及び図５の目標ガス量の値の表示画面においても、領域Ｂには目標ガス量に対する使用ガス量の割合を示すグラフ表示を行っているが、目標ガス量の値の表示画面においては当該グラフ表示を非表示とすることも可能である。
【００４５】
本実施形態に係る給湯器用リモコン１によれば、ディスプレイ４の領域Ｂ内に、資源種別を示す「ガス」「デンキ」「スイドウ」などの文字を表示できるとともに、該文字表示を囲むように今日若しくは昨日の使用資源量に応じて１３段階で円弧状に延びる図形によるグラフ表示を行うことができ、当該グラフ表示が何の表示であるのかを直感的に把握することができるとともに、目標資源量に対する使用資源量の割合を１０％刻みで段階的にグラフ表示することでユーザの節約意識を一層向上でき、さらに、高い分解能としつつも円弧状のグラフとすることで現在の使用資源量の目標資源量に対する割合を容易に把握することができる。
【００４６】
本発明は上記実施形態に限定されるものではなく、適宜設計変更できる。例えば、使用資源量に応じて二次元的に延びる図形は、高解像度のドットマトリクス表示部によって表示させることもでき、図形の長さが実質上無段階で延びるように表示制御することも可能である。また、グラフ表示用の上記セグメント５の個々の形状を円形状その他適宜の形状とすることもできる。また、グラフ表示用の複数のセグメント５は、それぞれ大きさ及び形状が同一である必要はなく、異なる大きさや形状とすることも可能である。また、ディスプレイ２に表示されるガス量や水道量は、給湯器が消費するガス量及び水道量であってもよく、また、ガスメータや水道メータが出力するパルス信号に基づいて計測されたガス量及び水道量（すなわち、建物全体で消費するガス量及び水道量）であってもよい。
【符号の説明】
【００４７】
１  給湯器用リモコン（資源使用量表示装置）
２  ディスプレイ
３  操作部
４  ドットマトリクス表示部
５  図形（グラフ）表示用セグメント
５ａ  始端位置のセグメント
５ｂ  終端位置のセグメント
【図１】
2015070370.tif 000003
【図２】
2015070370.tif 000004
【図３】
2015070370.tif 000005
【図４】
2015070370.tif 000006
【図５】
2015070370.tif 000007